(57)【要約】【課題】遊技領域の下端部に入賞口を配置しつつも、その入賞口を開閉する可動部と包囲壁との間に遊技球が挟まる虞を抑制することが可能な遊技機の提供を目的とする。【解決手段】本発明の遊技機１０では、遊技盤１１の前面に、ガイドレール１２に囲まれて遊技球が流下可能な遊技領域Ｒ１が設けられ、遊技領域Ｒ１の左右方向中央部の下端部には、大入賞口４０Ａが設けられている。大入賞口４０Ａより上側には、通常は、突出位置に配置されて大入賞口４０Ａへの遊技球の入賞を困難にする一方、大当りとなったときに、退避位置に配置されて大入賞口４０Ａへの遊技球の入賞を容易にする上側部材５０が設けられている。そして、大入賞口４０Ａの両側方には、ガイドレール１２上を転動してきた遊技球を堰き止める側壁４５，４５が設けられている。【選択図】図３
2017209438.tif 000002
【特許請求の範囲】
【請求項１】
遊技盤の前面に設けられると共に、包囲壁に囲まれ遊技球が流下可能な遊技領域と、
前記遊技領域の下端部に設けられると共に、遊技球が入賞したときに遊技者に特典を付与可能な入賞口と、
前記入賞口より上側に設けられ、前記入賞口への遊技球の入賞を規制可能な上側部材と、
前記上側部材の少なくとも一部で構成され、通常は、前記入賞口への遊技球の入賞を困難にする第１位置に配置される一方、予め設定された所定条件が成立したときに、前記入賞口への遊技球の入賞を容易にする第２位置に配置される可動部と、
前記入賞口の両側方に設けられ、前記包囲壁上を転動してきた遊技球を堰き止める堰止部と、を備えた遊技機。
【請求項２】
前記遊技領域のうち各前記堰止部に対して前記入賞口と反対側に設けられ、前記堰止部により堰き止められた遊技球を遊技者に特典を付与することなく受け入れて、前記遊技領域の外に排出する排出口を備え、
前記可動部が前記第１位置に配置されているときの前記上側部材の上面には、遊技球を受け止めて前記排出口へ案内可能なガイド部が設けられている請求項１に記載の遊技機。
【請求項３】
前記ガイド部は、左側に向かうにつれて下るように構成された左側ガイド面と、前記左側ガイド面の右隣に設けられ右側に向かうにつれて下るように構成された右側ガイド面と、からなる請求項２に記載の遊技機。
【請求項４】
前記可動部は、前記遊技盤の前面から突出した前記第１位置と前記第１位置より後方に退避した前記第２位置との間を、前後に直動可能に構成されている請求項１乃至３のうち何れか１の請求項に記載の遊技機。
【請求項５】
前記遊技盤の前面から突出し遊技球が前方を通過困難な突出部が、前記遊技領域のうち前記上側部材から上方に遊技球１個分未満の範囲には配置されていない請求項４に記載の遊技機。
【発明の詳細な説明】
【技術分野】
【０００１】
本発明は、遊技盤の前面に、包囲壁に囲まれ遊技球が流下可能な遊技領域を備えた遊技機に関する。
【背景技術】
【０００２】
従来、この種の遊技機として、遊技領域のうち左右方向中央の下端寄り位置に大入賞口を設けて、扉状の可動部で開閉するものが知られている。このような可動部は、起立して大入賞口への遊技球の入賞を困難にする閉位置と、前側に倒れて遊技球の入賞を容易にする開位置とに移動可能となっている（例えば、特許文献１参照）。また、近年では、遊技領域の中心部側に、表示や役物による演出のためのスペースを広く設けるため、上述のような入賞口を遊技領域の端にできるだけ近づけて配置することが求められている。
【先行技術文献】
【特許文献】
【０００３】
【特許文献１】特開２０１０−００５３４５号公報（段落［００４７］、［００５８］及び図２）
【発明の概要】
【発明が解決しようとする課題】
【０００４】
しかしながら、従来の遊技機では、上述のような開閉される入賞口を遊技領域の下端に近づけて配置すると、可動部が閉位置から開位置となる際に、可動部とその下方の包囲壁との間に遊技球が挟まる虞があった。
【０００５】
本発明は、上記事情に鑑みてなされたもので、遊技領域の下端部に入賞口を配置しつつも、その入賞口を開閉する可動部と包囲壁との間に遊技球が挟まる虞を抑制することが可能な遊技機の提供を目的とする。
【課題を解決するための手段】
【０００６】
上記目的を達成するためになされた第１の発明は、遊技盤の前面に設けられると共に、包囲壁に囲まれ遊技球が流下可能な遊技領域と、前記遊技領域の下端部に設けられると共に、遊技球が入賞したときに遊技者に特典を付与可能な入賞口と、前記入賞口より上側に設けられ、前記入賞口への遊技球の入賞を規制可能な上側部材と、前記上側部材の少なくとも一部で構成され、通常は、前記入賞口への遊技球の入賞を困難にする第１位置に配置される一方、予め設定された所定条件が成立したときに、前記入賞口への遊技球の入賞を容易にする第２位置に配置される可動部と、前記入賞口の両側方に設けられ、前記包囲壁上を転動してきた遊技球を堰き止める堰止部と、を備えた遊技機である。
【０００７】
第１の発明では、遊技領域の下端部に入賞口が設けられていると共に、入賞口の上側に配置された上側部材には、入賞口への遊技球の入賞を困難にする位置と容易にする位置とに移動可能な可動部が設けられている。ここで、入賞口の両側方には、包囲壁上を転動してきた遊技球を堰き止める堰止部が設けられているので、入賞口と包囲壁のうち入賞口の下方に位置する部分との間に遊技球が到達することを防ぐことが可能となる。これにより、入賞口を遊技領域の下端部に配置しつつも、入賞口を開閉する可動部と包囲壁との間に遊技球が挟まる虞を抑制することが可能となる。また、入賞口を開閉する可動部が、入賞口の上側に配置されているので、可動部が包囲壁から遠ざかり、可動部と包囲壁との間に遊技球が挟まる虞を一層抑制することが可能となる。
【０００８】
第２の発明は、前記遊技領域のうち各前記堰止部に対して前記入賞口と反対側に設けられ、前記堰止部により堰き止められた遊技球を遊技者に特典を付与することなく受け入れて、前記遊技領域の外に排出する排出口を備え、前記可動部が前記第１位置に配置されているときの前記上側部材の上面には、遊技球を受け止めて前記排出口へ案内可能なガイド部が設けられている第１の発明に係る遊技機である。
【０００９】
第２の発明によれば、堰止部に対して入賞口と反対側に設けられた排出口により、堰止部によって堰き止められた遊技球を遊技領域の外にスムーズに排出することが可能となる。また、本発明では、上側部材の上面に、遊技球を排出口へ案内可能なガイド部が設けられているので、上側部材で受け止めた遊技球を排出口にスムーズに排出することが可能となる。
【００１０】
第３の発明は、前記ガイド部は、左側に向かうにつれて下るように構成された左側ガイド面と、前記左側ガイド面の右隣に設けられ右側に向かうにつれて下るように構成された右側ガイド面と、からなる第２の発明に係る遊技機である。
【００１１】
第３の発明では、可動部が第１位置に配置されているときの上側部材の上面に設けられ、遊技球を案内可能なガイド部が、左側に向かうにつれて下るように構成された左側ガイド面と、その左側ガイド面の右隣に設けられ右側に向かうにつれて下るように構成された右側ガイド面と、からなるので、上側部材の上面に遊技球が留まることを抑制することが可能となる。また、上側部材の上面の左側ガイド面と右側ガイド面とによって、上側部材に受け止められた遊技球を、入賞口の両側方に配置された排出口に振り分けて排出することが可能となる。
【００１２】
第４の発明は、前記可動部は、前記遊技盤の前面から突出した前記第１位置と前記第１位置より後方に退避した前記第２位置との間を、前後に直動可能に構成されている第１乃至第３のうち何れか１の発明に係る遊技機である。
【００１３】
第４の発明では、可動部が前後に直動可能となっているので、前方から見たときの可動部の可動範囲をコンパクトにすることが可能となる。
【００１４】
第５の発明は、前記遊技盤の前面から突出し遊技球が前方を通過困難な突出部が、前記遊技領域のうち前記上側部材から上方に遊技球１個分未満の範囲には配置されていない第４の発明に係る遊技機である。
【００１５】
第５の発明では、遊技球が前方を通過困難な突出部が上側部材の上方に設けられる場合、突出部が上側部材との間隔を遊技球１個分以上空けて配置されるので、突出部と上側部材の可動部との間に遊技球が挟まる虞を抑制することが可能となる。
【発明の効果】
【００１６】
本発明では、遊技領域の下端部に入賞口が設けられていると共に、入賞口の上側に配置された上側部材には、入賞口への遊技球の入賞を困難にする位置と容易にする位置とに移動可能な可動部が設けられている。ここで、入賞口の両側方には、包囲壁上を転動してきた遊技球を堰き止める堰止部が設けられているので、入賞口と包囲壁のうち入賞口の下方に位置する部分との間に遊技球が到達することを防ぐことが可能となる。これにより、入賞口を遊技領域の下端部に配置しつつも、入賞口を開閉する可動部と包囲壁との間に遊技球が挟まる虞を抑制することが可能となる。
【図面の簡単な説明】
【００１７】
【図１】本発明の一実施形態に係るパチンコ遊技機の正面図
【図２】遊技盤の正面図
【図３】（Ａ）大入賞口周辺の正面図、（Ｂ）上側部材と球受突部の正断面図
【図４】（Ａ）球受部材と突出位置に配置されたときの上側部材の側断面図、（Ｂ）球受部材と退避位置に配置されたときの上側部材の側断面図
【図５】（Ａ）変形例に係る大入賞部の正断面図、（Ｂ）変形例に係る大入賞部の正断面図
【図６】（Ａ）変形例に係る大入賞部の正断面図、（Ｂ）変形例に係る大入賞部の正断面図
【図７】（Ａ）変形例に係る大入賞部の正断面図、（Ｂ）変形例に係る大入賞部の正断面図
【図８】（Ａ）変形例に係る大入賞部の正断面図、（Ｂ）変形例に係る大入賞部の正断面図
【図９】（Ａ）変形例に係る大入賞部の正断面図、（Ｂ）変形例に係る大入賞部の正断面図
【図１０】（Ａ）変形例に係る大入賞部の正断面図、（Ｂ）変形例に係る大入賞部及び第２始動入賞部の正面図
【発明を実施するための形態】
【００１８】
以下、本発明をパチンコ遊技機に適用した一実施形態を図１〜図４を用いて説明する。図１に示すように、本実施形態に係るパチンコ遊技機１０（以下、単に、「遊技機１０」という。）は、遊技球が流下可能な遊技領域Ｒ１を、遊技盤１１の前面に備えている。遊技領域Ｒ１は、遊技機１０の前面に設けられた前面窓１０Ｗを通して視認可能となっている。
【００１９】
遊技機１０の前面のうち前面窓１０Ｗの下方には、遊技球を貯留可能な上皿２６及び下皿２７が上下二段にして設けられている。下皿２７の右側方には、発射操作ハンドル２８が備えられ、この発射操作ハンドル２８が回動操作されることで、上皿２６に貯留された遊技球が遊技領域Ｒ１に向かって発射される。
【００２０】
図２に示すように、遊技領域Ｒ１は、遊技盤１１の前面から突出したガイドレール１２（本発明の「包囲壁」に相当する。）に囲まれて略円形状をなしている。ガイドレール１２の下端部には、下方に膨むように湾曲し、流下する遊技球を受け止めて遊技領域Ｒ１の左右方向中央へと右側及び左側から案内可能な湾曲ガイド部１２Ｇが備えられている。
【００２１】
遊技盤１１のうち遊技領域Ｒ１の中心部には、表示開口１１Ｈが貫通形成されている。遊技盤１１の後側には表示装置３０が配置され、表示装置３０の前面に備えられた表示画面３０Ｇが、表示開口１１Ｈを通して前方から視認可能となっている。表示画面３０Ｇには、遊技に関する演出が表示される。なお、遊技盤１１と表示画面３０Ｇとの間には、演出用の役物部材１００が備えられている。役物部材１００は、例えば、通常は、遊技盤１１のうち遊技領域Ｒ１の上端部の後方に配置されていて（図１参照）、所定の演出条件が成立すると、表示開口１１Ｈの下端部の後方位置まで落下する。
【００２２】
遊技盤１１のうち表示開口１１Ｈの開口端部には、表示装飾枠２３が取付けられている。表示装飾枠２３は、遊技盤１１の前面から突出していて、この表示装飾枠２３によって、遊技領域Ｒ１を流下する遊技球が、表示装飾枠２３の内側に進入しないようになっている。
【００２３】
遊技領域Ｒ１のうち表示装飾枠２３の周囲には、始動ゲート１８、及び複数の入賞部１３，１４，２０，４０が配置されている。遊技領域Ｒ１を流下する遊技球が、各種入賞部１３，１４，２０，４０に入球（入賞）すると、その遊技球は遊技盤１１の後側に取り込まれ、賞球として所定個数の遊技球が上皿２６に払い出される。以下、遊技領域Ｒ１の各部位について詳説する。
【００２４】
表示装飾枠２３の右側方には始動ゲート１８が配置されている。始動ゲート１８は遊技球が１つずつ潜って通過可能な門形構造となっている。始動ゲート１８を遊技球が通過すると、普通図柄当否判定が行われる。
【００２５】
表示装飾枠２３の左右方向中央の下方には、第１始動入賞部１３と第２始動入賞部１４が上下に間隔を空けて並べて配置されている。第１始動入賞部１３は、遊技盤１１から突出した部材の上面に開口を有した、所謂、ポケット構造をなしている。第２始動入賞部１４は、第１始動入賞部１３の真下に配置されている。第２始動入賞部１４は、遊技盤１１から突出し上面に開口を有したポケット構造の突出部材１４Ｔ（本発明の「突出部」に相当する。）を備えると共に、その開口の左右両側に可動翼片１４Ｃ，１４Ｃを備えた構成となっている。両可動翼片１４Ｃ，１４Ｃは、通常は、起立状態となって（図３（Ａ）参照）、第２始動入賞部１４への遊技球の入賞を規制する一方、始動ゲート１８への入賞時に行われる普通図柄当否判定で当選した場合に、横倒しになって（図２参照）、遊技球を第２始動入賞部１４へと案内可能となる。なお、各始動入賞部１３，１４に入賞した遊技球は、遊技盤１１に設けた図示しない貫通孔を通って、遊技盤１１の後側に回収される。
【００２６】
各始動入賞部１３，１４に遊技球が入賞すると、特別図柄当否判定が行われる。この特別図柄当否判定の判定結果は、特別図柄表示装置にて表示されると共に、表示装置３０の表示画面３０Ｇにおいて図柄の組み合わせで表示される。そして、特別図柄当否判定の結果が当りになると、「大当り遊技」が実行される。
【００２７】
第１始動入賞部１３の左側には、一般入賞部２０が、ガイドレール１２に沿って複数配置されている。また、一般入賞部２０は、第１始動入賞部１３の右側にも設けられている。これら一般入賞部２０は、第１始動入賞部１３と同様に上面が開放したポケット構造をなしている。
【００２８】
遊技領域Ｒ１の下端部には、遊技球を遊技領域Ｒ１の外側に排出するためのアウト口１９（本発明の「排出口」に相当する。）が設けられている。上述した入賞部１３，１４，２０及び後述する大入賞部４０のうち何れにも入らずに遊技領域Ｒ１の下端部まで達した遊技球は、アウト口１９によって遊技盤１１の後側に回収される。なお、遊技領域Ｒ１には、遊技球の流下方向をランダムに変更するための障害釘１７が多数植設されている（図３（Ａ）参照）。
【００２９】
さて、遊技領域Ｒ１のうち左右方向中央部の下端部には（即ち、第２始動入賞部１４の真下には）、大入賞部４０が配置されている。図３（Ｂ）及び図４（Ｂ）に示すように、大入賞部４０には、遊技盤１１の前面に開口した横長矩形の大入賞口４０Ａ（本発明の「入賞口」に相当する。）が形成されている。また、大入賞部４０には、大入賞口４０Ａの開口縁から前方に突出すると共に上方に開放した球受突部４１が設けられている。具体的には、球受突部４１は、大入賞口４０Ａの開口縁のうち左辺部と右辺部とからそれぞれ突出した側壁４５，４５と、大入賞口４０Ａの開口縁のうち下辺部から突出し側壁４５，４５の下端部同士の間でそれらを連絡する底壁４６と、からなる前方視コの字状の突壁４２を有し、その突壁４２の前端に、前壁４３が備えられた構造となっている。そして、上方から流下して球受突部４１内に進入してきた遊技球は、突壁４２に受け止められて大入賞口４０Ａへと誘導される。なお、球受突部４１は、遊技盤１１を貫通した球受部材４７の前端部からなり、大入賞口４０Ａへ入った遊技球は、球受部材４７のうち遊技盤１１の後側へと突壁４２から延長された球排出部４８を通過して、遊技盤１１の後側に回収される。なお、球受突部４１は前壁４３を有していない構成であってもよい。
【００３０】
ここで、突壁４２のうち、大入賞口４０Ａの開口縁における左辺部及び右辺部から突出した部分である側壁４５，４５は、図３（Ａ）に示すように、ガイドレール１２の湾曲ガイド部１２Ｇ上を転動してきた遊技球を堰き止めるように配置されている。言い換えれば、側壁４５，４５は、それぞれガイドレール１２との最小の間隔（即ち、側壁４５の下端とガイドレール１２との最小の間隔）が、遊技球１個分未満となるように配置されている。従って、遊技領域Ｒ１のうち大入賞口４０Ａの下方には、遊技球が進入できないようになっている。なお、本実施形態では、側壁４５，４５に挟まれた大入賞口４０Ａも、ガイドレール１２との最小の間隔が遊技球１個分未満となる位置に配置されている。側壁４５，４５が、本発明の「堰止部」に相当する。
【００３１】
また、大入賞部４０は、大入賞口４０Ａの上側に、大入賞口４０Ａへの遊技球の入賞を規制可能な上側部材５０を備えている。上側部材５０は、大入賞口４０Ａに近接して配置されていると共に、遊技盤１１を貫通して前後に直動し、大入賞口４０Ａを開閉可能となっている。上側部材５０は、通常は、図４（Ａ）に示すように、遊技盤１１の前面から庇状に突出した突出位置（本発明の「第１位置」に相当する。）に配置されている。このとき、球受突部４１の全体が上側部材５０に上方から覆われ、遊技球が大入賞口４０Ａに入賞できないようになっている（図３（Ａ）及び図４（Ａ）参照）。そして、第１始動入賞部１３又は第２始動入賞部１４への遊技球の入賞時に行われる大当たり抽選に当選すると、大当り遊技が行われ、上側部材５０は、遊技盤１１の前面より後方に退避した退避位置（図４（Ｂ）参照。本発明の「第２位置」に相当する。）に所定期間配置され、流下してきた遊技球が、大入賞口４０Ａに入賞可能となる。なお、上側部材５０が退避位置に配置される時間が所定の時間に達したか、又は、大入賞口４０Ａへの入球数が予め定められた上限数になったかの何れかの条件が先に満たされた場合に、上側部材５０が突出位置に戻されて、遊技球が大入賞口４０Ａへ入賞できなくなる。上側部材５０は、例えば、遊技盤１１の後側に備えられたソレノイド６０によって駆動される。本実施形態では、上側部材５０全体が、本発明の「可動部」に相当する。
【００３２】
上側部材５０は、前方から見て左右方向に細長く延在している。上側部材５０は、前方視で逆Ｖ字状をなし、左右方向の中央部から左端と右端とに向かってそれぞれ下るように直線状に延びた左側傾斜部５１と、右側傾斜部５２とから構成されている。
【００３３】
図３（Ａ）に示すように、遊技領域Ｒ１を流下してきた遊技球は、突出位置に配置された上側部材５０の左側傾斜部５１に受け止められると、左側傾斜部５１の上面である左側傾斜面５１Ｍに案内されて、上側部材５０の左斜め下方へと誘導される。また、上側部材５０のうち右側傾斜部５２に受け止められた遊技球は、右側傾斜部５２の上面である右側傾斜面５２Ｍに案内されて、上側部材５０の右斜め下方へと誘導される。
【００３４】
ここで、上述のアウト口１９は、各側壁４５に対して大入賞口４０Ａと反対側に設けられている。それら１対のアウト口１９，１９は、遊技盤１１の前面に開口し、各側壁４５と隣接すると共に下方のガイドレール１２とも隣接して配置されている。そして、図３（Ａ）に示すように、ガイドレール１２の湾曲ガイド部１２Ｇ上を転動してきて側壁４５，４５により堰き止められた遊技球は、アウト口１９，１９へと取り込まれる。また、上側部材５０が突出位置に配置されているときには、流下して上側部材５０に受け止められた遊技球は、左側傾斜面５１Ｍと右側傾斜面５２Ｍとに案内されてアウト口１９，１９へ取り込まれる。なお、本実施形態では、左側傾斜面５１Ｍと右側傾斜面５２Ｍとが、本発明の「ガイド部」に相当すると共に、それぞれが「左側ガイド面」と「右側ガイド面」とに相当する。
【００３５】
また、本実施形態では、上側部材５０の上下方向の高さ（上側部材５０における上端（即ち、左右方向の中央）と、下端（即ち、左右端）との上下方向の距離）は、遊技球１個分より小さくなっている。その上、本実施形態では、上側部材５０が、大入賞口４０Ａから上方に遊技球１個分未満の範囲に収まって配置されている。
【００３６】
また、図３（Ａ）に示すように、本実施形態では、上側部材５０と第２始動入賞部１４の突出部材１４Ｔとの最小の間隔は、遊技球１個分未満となっている。従って、遊技領域Ｒ１のうち第２始動入賞部１４より上側の部分を極力広くすることが可能となっている。また、突出部材１４Ｔ以外で、障害釘１７等のように、遊技球が前方を通過困難で、かつ、上側部材５０の上方に配置されている突出部は、上側部材５０から遊技球１個分以上離れて配置されている。
【００３７】
本実施形態の遊技機１０の構成に関する説明は以上である。次に、遊技機１０の作用効果について説明する。遊技機１０では、遊技者により発射操作ハンドル２８が操作されると、遊技球が遊技領域Ｒ１に順次打ち込まれる。そして、打ち込まれた遊技球は、遊技領域Ｒ１を流下し、それら遊技球の一部は、ガイドレール１２の湾曲ガイド部１２Ｇに受け止められて、湾曲ガイド部１２Ｇ上を転動し遊技領域Ｒ１の左右方向中央へと案内される。また、遊技領域Ｒ１を流下する遊技球の一部は、遊技領域Ｒ１の左右方向中央の下端部へ上方から流下してくる。
【００３８】
本実施形態の遊技機１０では、遊技領域Ｒ１の左右方向中央の下端部に大入賞口４０Ａが設けられていると共に、大入賞口４０Ａの上側に配置された上側部材５０は、大入賞口４０Ａへの遊技球の入賞を困難にする突出位置と容易にする退避位置とに移動可能となっている。ここで、大入賞口４０Ａの両側方に、ガイドレール１２上を転動してきた遊技球を堰き止める１対の側壁４５，４５が設けられているので、大入賞口４０Ａとガイドレール１２のうち大入賞口４０Ａの下方に位置する部分との間に遊技球が到達することを防ぐことが可能となる。これにより、大入賞口４０Ａを遊技領域Ｒ１の下端部に配置しつつも、大入賞口４０Ａを開閉する上側部材５０とガイドレール１２との間に遊技球が挟まる虞を従来よりも抑制することが可能となる。また、大入賞口４０Ａを開閉する上側部材５０が、大入賞口４０Ａの上側に配置されているので、上側部材５０がガイドレール１２から遠ざかり、上側部材５０とガイドレール１２との間に遊技球が挟まる虞を一層抑制することが可能となる。
【００３９】
また、本実施形態の遊技機１０によれば、側壁４５，４５に対して大入賞口４０Ａと反対側に設けられたアウト口１９，１９により、側壁４５，４５によって堰き止められた遊技球を遊技領域Ｒ１の外にスムーズに排出することが可能となる。また、本実施形態の遊技機１０では、上側部材５０が、側壁４５，４５に上から重なる位置まで左右に延在していると共に、上側部材５０の上面に、遊技球をアウト口１９，１９へ案内可能な左側傾斜面５１Ｍ及び右側傾斜面５２Ｍが設けられているので、上側部材５０で受け止めた遊技球をアウト口１９，１９にスムーズに排出することが可能となる。
【００４０】
さらに、本実施形態の遊技機１０では、上側部材５０の上面が、前方視逆Ｖ字状となっているので、突出位置に配置されているときの上側部材５０の上面に遊技球が留まることを抑制することが可能となる。また、上側部材５０の上面である左側傾斜面５１Ｍと右側傾斜面５２Ｍとによって、上側部材５０に受け止められた遊技球を、大入賞口４０Ａの両側方に配置された１対のアウト口１９，１９に振り分けて排出することが可能となる。
【００４１】
しかも、本実施形態の遊技機１０では、上側部材５０が、突出位置と退避位置との間を前後に直動可能となっているので、前方から見たときの上側部材５０の可動範囲をコンパクトにすることが可能となる。また、上側部材５０の直動方向が、前後方向なので、上側部材５０とガイドレール１２との間に遊技球が挟まれる虞をより一層抑制可能となる。
【００４２】
本実施形態では、上側部材５０の上下方向の高さが、遊技球１個分より小さくなっている。その上、本実施形態では、上側部材５０が、大入賞口４０Ａから上方に遊技球１個分未満の範囲に収まって配置されている。従って、大入賞部４０を、上下方向でコンパクトにすることができ、大入賞部４０を上下方向に狭いスペースに配置することが可能となるので、遊技領域Ｒ１のうち大入賞部４０より上側の部分を広くすることが可能となる。また、大入賞部４０が上下方向でコンパクトになることで、第１と第２の始動入賞部１３，１４も遊技領域Ｒ１の下端に近づけて配置することが可能となるので、遊技領域Ｒ１のうちそれら入賞部１３，１４，４０より上側の部分を広くすることができ、表示画面３０Ｇや役物部材１００を視認させるための表示開口１１Ｈを大きくすることが可能となる。これにより、表示画面３０Ｇを大きくしたり、役物部材１００の可動範囲を広くしたりして、遊技に関する演出の趣向性を向上させることが可能となる。
【００４３】
また、本実施形態では、大入賞口４０Ａが横長であるので、大入賞部４０を上下に狭いスペースに配置しながらも、大入賞部４０の迫力を出すことが可能となる。
【００４４】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００４５】
（１）上記実施形態では、本発明の「入賞口」が、大入賞口４０Ａであったが、第１始動入賞部１３、第２始動入賞部１４又は一般入賞部２０の入賞口であってもよい。この場合、第１始動入賞部１３，第２始動入賞部１４、一般入賞部２０を、上記実施形態の大入賞部４０と同様に、遊技領域Ｒ１の下端部に配置して、入賞口を遊技盤１１の前面に開口させて設ければよい。
【００４６】
（２）上記実施形態では、本発明の「上側部材」が１つの部材から構成されていたが、複数の部材から構成されていてもよい。この場合の例として、図５（Ａ）には、横並びになった複数の部材５０Ａ，５０Ｂ，５０Ｃからなる前方視逆Ｖ字状の上側部材５０Ｖが示されている。
【００４７】
（３）上記実施形態では、本発明の「可動部」が、本発明の「上側部材」の全体で構成されていたが、上側部材の一部のみで構成されていてもよい。このような構成として、例えば、図５（Ａ）に示すように、横並びになった複数の部材５０Ａ，５０Ｂ，５０Ｃからなる上側部材５０Ｖにおいて、中央に配置される中央部材５０Ｂのみが可動部として、前後に直動する構成が挙げられる。
【００４８】
（４）上記実施形態では、本発明の「上側部材」が、前方視逆Ｖ字状となっていたが、これに限定されるものではなく、例えば、図７（Ｂ）に示す上側部材５０Ｗのように左側傾斜面５１Ｍと右側傾斜面５２Ｍとが設けられた前方視三角形状となっていてもよいし、図６（Ａ）に示す上側部材５０Ｘのように前方視ハの字状となっていてもよい。後者の構成では、上側部材５０Ｘの上面には、左斜め下方に延びた左側ガイド面５１ＸＭと、その右隣に配置され右斜め下方に延びた右側ガイド面５２ＸＭと、が形成されていて、これらガイド面５１ＸＭ，５２ＸＭから、本発明の「ガイド部」が構成されている。上記の上側部材５０Ｗ，５０Ｘのような構成によっても、大入賞口４０Ａの両側方のアウト口１９，１９に遊技球を案内可能となる。また、上側部材が、上方に膨出した前方視円弧状の上面を有する構成となっていてもよい。この構成の上側部材の例として、例えば、前方から見て、円弧状、半円状、円形状をなしたものが挙げられる。このような上側部材においても、円弧状の上面に、本発明の「左側ガイド面」と「右側ガイド面」とが設けられるので、流下してきた遊技球を、大入賞口４０Ａの両側方のアウト口１９，１９に案内可能となる。なお、本発明の「左側ガイド面」と「右側ガイド面」は、下方に膨出するように形成された湾曲面であってもよい。
【００４９】
（５）上記実施形態では、上側部材５０が、その上面で遊技球を１対のアウト口１９，１９の両方に案内可能な構成となっていたが、１対のアウト口１９，１９のうち一方にのみ案内可能な構成となっていてもよい。この構成の上側部材として、例えば、上側部材の左右方向の一端から他端へと下るように形成された上面（本発明の「ガイド部」に相当する。）を有するものが挙げられる。この場合、上側部材は、前方視直線状又は前方視曲線状であってもよいし、図９（Ａ）に示す上側部材５０Ｑのように前方視三角形状であってもよい。なお、ガイド部としての上側部材の上面は、平面であってもよいし、湾曲面であってもよい。
【００５０】
（６）上記実施形態では、上側部材５０の上面にアウト口１９へ案内可能な本発明の「ガイド部」（左側傾斜面５１Ｍ、右側傾斜面５２Ｍ）が形成されていたが、ガイド部が形成されていなくてもよく、上側部材の上面が、例えば、水平面となっていてもよい。
【００５１】
（７）本発明の「ガイド部」は、本発明の「可動部」が少なくとも「第１位置」に配置されたときに（上記実施形態では、上側部材５０が突出位置に配置されたときに）、上側部材の上面のうち少なくとも一部に設けられていればよい。この場合、例えば、第１位置に配置されているときの上側部材の上面が、水平面又は凹部を有し、その両隣又は右隣もしくは左隣に、前記水平面又は前記凹部から離れるにつれて下るように構成された傾斜面（ガイド部）が設けられた構成であってもよい。また、可動部が第１位置に配置されているときの上側部材の上面のうち、遊技球が前方を通過困難な突出部（突出部材１４Ｔ、障害釘１７等）との最小の間隔が遊技球１個分以上離れている部分（即ち、遊技球を受け止め可能な部分）全体に、ガイド部が設けられていてもよい。この構成によれば、遊技球をスムーズにアウト口１９に案内可能となる。
【００５２】
（８）上記実施形態では、上側部材５０の上下方向の大きさ（高さ）が、遊技球１個分未満となっていたが、遊技球１個分以上となっていてもよい。
【００５３】
（９）上記実施形態では、本発明の「可動部」が、前後に直動可能に構成されていたが、例えば、上側部材５０Ｘのように、図６（Ａ）に示す第１位置と図６（Ｂ）に示す第２位置とに、遊技盤１１の前面に沿ってスライド可能に構成されていてもよい。また、可動部が、第２始動入賞部１４の可動翼片１４Ｃのように、遊技盤１１の前面に沿って回動可能に構成されていてもよい。なお、これらの構成においても、上側部材の一部のみが可動部となっていてもよい。
【００５４】
（１０）上記実施形態では、上側部材５０が、側壁４５，４５に上方から重なる位置まで、左右方向に延びていたが、図５（Ｂ）に示すように、上側部材５０が、左右方向で側壁４５，４５の内側に配置されていてもよい。この場合、側壁４５，４５の上面を、上側部材５０の左側傾斜面５１Ｍ及び右側傾斜面５２Ｍより下方に配置し、上側部材５０から離れるにつれて下る傾斜面４５Ｍ，４５Ｍとすることで、アウト口１９，１９にスムーズに遊技球を案内することが可能となる。
【００５５】
（１１）上記実施形態では、本発明の「堰止部」が、遊技盤の前面から突出した壁状の突部（側壁４５）となっていたが、ガイドレール１２上を転動してきた遊技球を堰き止めるように配置されていればよく、即ち、ガイドレール１２との間隔が遊技球１個分未満であればよく、例えば、図７（Ａ）に示すように、遊技盤１１から前方に延びた棒状の突部４５Ｙであってもよい。
【００５６】
（１２）上記実施形態では、突壁４２のうち側壁４５が、ガイドレール１２との間に間隔をあけて配置されていたが、図７（Ｂ）に示すように、ガイドレール１２と接するように配置されていてもよい。なお、突壁４２のうち底壁４６も、ガイドレール１２と接するように構成されていてもよい。
【００５７】
（１３）図８（Ａ）に示すように、突壁４２のうち底壁４６を設けない構成で、大入賞口４０Ａが、ガイドレール１２と隣接していてもよい。同図に示す例では、大入賞口４０Ａの開口縁の下辺部に、ガイドレール１２が配置されていて、流下してきた遊技球は、ガイドレール１２の上面で受け止められて大入賞口４０Ａへと案内される。
【００５８】
（１４）図７（Ｂ）に示すように、上側部材５０Ｗと大入賞口４０Ａとが隣接して配置されていてもよい。この構成によれば、大入賞部４０を上下方向で一層コンパクトにすることが可能となる。この構成においても、上側部材５０の上下方向の高さを、遊技球１個分より小さくすることで、大入賞部４０をより一層コンパクトにすることができる。
【００５９】
（１５）上記実施形態では、本発明の「堰止部」が遊技盤１１から前方に突出した側壁４５，４５であったが、図８（Ｂ）に示すように、ガイドレール１２から遊技領域Ｒ１の内側に突出した堰止部４５Ｚ，４５Ｚであってもよい。
【００６０】
（１６）上記実施形態では、大入賞口４０Ａが、ガイドレール１２上を転動してきた遊技球を堰き止める本発明の「堰止部」（側壁４５，４５）と隣接していたが、隣接していなくてもよい。この構成の例として、例えば、図９（Ｂ）に示すように、大入賞口４０Ａの開口縁から突出した球受突部４１の突壁４２の両側方に、遊技盤１１又はガイドレール１２から突出した堰止部９０，９０が設けられている構成が挙げられる。
【００６１】
（１７）上記実施形態において、上側部材５０と第２始動入賞部１４の突出部材１４Ｔとの最小の間隔が、遊技球１個分以上となっていてもよい。このように、遊技球が前方を通過困難な突出部（突出部材１４Ｔ、障害釘１７等）を、上側部材５０から上方に遊技球１個分未満の範囲に配置しない構成とすることにより、上側部材５０が退避位置から突出位置へと移動する際に、上側部材５０と上記突出部との間に遊技球が挟まる虞を抑制することが可能となる。
【００６２】
（１８）上記実施形態では、逆Ｖ字状の上側部材５０の頂部（上端部）が上側部材５０の左右方向の中央に配置されていたが、左側又は右側に寄って配置されていてもよい（図１０（Ａ）参照）。また、上側部材５０の左端と右端との上下方向の位置が同じであってもよいし、異なっていてもよい。また、上側部材５０が、左側傾斜面５１Ｍと右側傾斜面５２Ｍとの勾配が異なるように構成されてもよい。
【００６３】
（１９）上記実施形態では、大入賞口４０Ａが、遊技領域Ｒ１の左右方向の中央に配置されていたが、左右方向の中央から左側又は右側にずれて配置されていてもよい。この場合、例えば、図１０（Ａ）に示すように、大入賞口４０Ａを、遊技領域Ｒ１の左右方向中央より左側へずらして配置すると共に、前方視逆Ｖ字状の上側部材５０の頂部（上端部）が遊技領域Ｒ１の左右方向中央に配置された第２始動入賞部１４の真下に（即ち、上側部材５０の右寄りに）配置されるように上側部材５０を構成してもよい。なお、同図に示す例では、右側傾斜面５２Ｍが、左側傾斜面５１Ｍより急勾配となっている。
【００６４】
（２０）上記実施形態において、遊技盤１１のうち表示開口１１Ｈの開口縁付近や表示装飾枠２３に、遊技盤１１の後側を視認可能な視認可能部（例えば、透明又は半透明な部分）を設けてもよい。この場合、例えば、表示画面３０Ｇを、前方から見て表示開口１１Ｈより外側にはみ出す大きさに構成して、上記視認可能部を通して表示画面３０Ｇの外縁部を遊技者に視認させてもよいし、上記視認可能部を通して役物部材１００を遊技者に視認させてもよい。このような構成においても、上記実施形態と同様に大入賞部４０を構成することにより、遊技領域Ｒ１のうち各入賞部１３，１４，４０より上側の部分を広くすることができるので、遊技盤１１の上記視認可能部を広くすることができ、表示画面３０Ｇを大きくしたり、役物部材１００の可動範囲を広くしたりして、遊技に関する演出の趣向性を向上させることが可能となる。
【００６５】
（２１）上側部材５０と第２始動入賞部１４との最小の間隔を、遊技球１個分未満とするための上側部材５０と第２始動入賞部１４の構成として、例えば、図１０（Ｂ）に示すように、第２始動入賞部１４の突出部材１４Ｔの下端部に下方へ突出する障害突部１４Ｚを備えた構成が挙げられる。具体的には、ポケット構造をなす突出部材１４Ｔは、底部に前方から見て下方に膨出するように形成された膨出底面１４Ｙを有し、この膨出底面１４Ｙの中央部から直線状に障害突部１４Ｚが延びた構成となっている。本構成では、障害突部１４Ｚと上側部材５０との最小の間隔は、遊技球１個分未満となっているが、突出部材１４Ｔの膨出底面１４Ｙと上側部材５０との最小の間隔は、遊技球１個分以上となっている。なお、障害突部１４Ｚは、遊技盤１１と連絡していてもよい。また、このような障害突部を、第２始動入賞部１４の突出部材１４Ｔに設ける代わりに、上側部材５０の上端部から上方に突出させて設けてもよい。
【符号の説明】
【００６６】
１０    遊技機
１１    遊技盤
１２    ガイドレール（包囲壁）
１２Ｇ    湾曲ガイド部
１４    第２始動入賞部
１４Ｔ    突出部材（突出部）
１９    アウト口（排出口）
４０    大入賞部
４０Ａ    大入賞口（入賞口）
４１    球受突部
４２    突壁
４５    側壁（堰止部）
５０    上側部材（可動部）
５１Ｍ    左側傾斜面（ガイド部、左側ガイド面）
５２Ｍ    右側傾斜面（ガイド部、右側ガイド面）
Ｒ１    遊技領域
【図１】
2017209438.tif 000003
【図２】
2017209438.tif 000004
【図３】
2017209438.tif 000005
【図４】
2017209438.tif 000006
【図５】
2017209438.tif 000007
【図６】
2017209438.tif 000008
【図７】
2017209438.tif 000009
【図８】
2017209438.tif 000010
【図９】
2017209438.tif 000011
【図１０】
2017209438.tif 000012
【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
遊技盤の前面に設けられると共に、包囲壁に囲まれ遊技球が流下可能な遊技領域と、
前記遊技領域の下端部に設けられると共に、遊技球が入賞したときに遊技者に特典を付与可能な入賞口と、
前記入賞口より上側に設けられ、前記入賞口への遊技球の入賞を規制可能な上側部材と、
前記上側部材の少なくとも一部で構成され、通常は、前記入賞口への遊技球の入賞を困難にする第１位置に配置される一方、予め設定された所定条件が成立したときに、前記入賞口への遊技球の入賞を容易にする第２位置に配置される可動部と、
前記入賞口の両側方に設けられ、前記包囲壁上を転動してきた遊技球を堰き止める堰止部と、
前記遊技領域のうち各前記堰止部に対して前記入賞口と反対側に設けられ、前記堰止部により堰き止められた遊技球を遊技者に特典を付与することなく受け入れて、前記遊技領域の外に排出する排出口と、を備え、
前記可動部が前記第１位置に配置されているときの前記上側部材の上面には、遊技球を受け止めて前記排出口へ案内可能なガイド部が設けられ、
前記ガイド部は、左側に向かうにつれて下るように構成された左側ガイド面と、前記左側ガイド面の右隣に設けられ右側に向かうにつれて下るように構成された右側ガイド面と、からなると共に、
前記左側ガイド面と前記右側ガイド面とで構成される前記上側部材の頂部が、前記上側部材の左右方向の中央からずれた位置に配置されている遊技機。
【請求項２】
前記可動部は、前記遊技盤の前面から突出した前記第１位置と前記第１位置より後方に退避した前記第２位置との間を、前後に直動可能に構成されている請求項１に記載の遊技機。
【手続補正２】
【補正対象書類名】明細書
【補正対象項目名】０００６
【補正方法】変更
【補正の内容】
【０００６】
上記目的を達成するためになされた第１の発明は、遊技盤の前面に設けられると共に、包囲壁に囲まれ遊技球が流下可能な遊技領域と、前記遊技領域の下端部に設けられると共に、遊技球が入賞したときに遊技者に特典を付与可能な入賞口と、前記入賞口より上側に設けられ、前記入賞口への遊技球の入賞を規制可能な上側部材と、前記上側部材の少なくとも一部で構成され、通常は、前記入賞口への遊技球の入賞を困難にする第１位置に配置される一方、予め設定された所定条件が成立したときに、前記入賞口への遊技球の入賞を容易にする第２位置に配置される可動部と、前記入賞口の両側方に設けられ、前記包囲壁上を転動してきた遊技球を堰き止める堰止部と、前記遊技領域のうち各前記堰止部に対して前記入賞口と反対側に設けられ、前記堰止部により堰き止められた遊技球を遊技者に特典を付与することなく受け入れて、前記遊技領域の外に排出する排出口と、を備え、前記可動部が前記第１位置に配置されているときの前記上側部材の上面には、遊技球を受け止めて前記排出口へ案内可能なガイド部が設けられ、前記ガイド部は、左側に向かうにつれて下るように構成された左側ガイド面と、前記左側ガイド面の右隣に設けられ右側に向かうにつれて下るように構成された右側ガイド面と、からなると共に、前記左側ガイド面と前記右側ガイド面とで構成される前記上側部材の頂部が、前記上側部材の左右方向の中央からずれた位置に配置されている遊技機である。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
そして、堰止部に対して入賞口と反対側に設けられた排出口により、堰止部によって堰き止められた遊技球を遊技領域の外にスムーズに排出することが可能となる。また、本発明では、上側部材の上面に、遊技球を排出口へ案内可能なガイド部が設けられているので、上側部材で受け止めた遊技球を排出口にスムーズに排出することが可能となる。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
また、可動部が第１位置に配置されているときの上側部材の上面に設けられ、遊技球を案内可能なガイド部が、左側に向かうにつれて下るように構成された左側ガイド面と、その左側ガイド面の右隣に設けられ右側に向かうにつれて下るように構成された右側ガイド面と、からなるので、上側部材の上面に遊技球が留まることを抑制することが可能となる。さらに、上側部材の上面の左側ガイド面と右側ガイド面とによって、上側部材に受け止められた遊技球を、入賞口の両側方に配置された排出口に振り分けて排出することが可能となる。
【手続補正７】
【補正対象書類名】明細書
【補正対象項目名】００１２
【補正方法】変更
【補正の内容】
【００１２】
第２の発明は、前記可動部は、前記遊技盤の前面から突出した前記第１位置と前記第１位置より後方に退避した前記第２位置との間を、前後に直動可能に構成されている第１乃至第３のうち何れか１の発明に係る遊技機である。
【手続補正８】
【補正対象書類名】明細書
【補正対象項目名】００１３
【補正方法】変更
【補正の内容】
【００１３】
第２の発明では、可動部が前後に直動可能となっているので、前方から見たときの可動部の可動範囲をコンパクトにすることが可能となる。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００５０
【補正方法】削除
【補正の内容】
【手続補正１２】
【補正対象書類名】明細書
【補正対象項目名】００５１
【補正方法】変更
【補正の内容】
【００５１】
（６）本発明の「ガイド部」は、本発明の「可動部」が少なくとも「第１位置」に配置されたときに（上記実施形態では、上側部材５０が突出位置に配置されたときに）、上側部材の上面のうち少なくとも一部に設けられていればよい。この場合、例えば、第１位置に配置されているときの上側部材の上面が、水平面又は凹部を有し、その両隣又は右隣もしくは左隣に、前記水平面又は前記凹部から離れるにつれて下るように構成された傾斜面（ガイド部）が設けられた構成であってもよい。また、可動部が第１位置に配置されているときの上側部材の上面のうち、遊技球が前方を通過困難な突出部（突出部材１４Ｔ、障害釘１７等）との最小の間隔が遊技球１個分以上離れている部分（即ち、遊技球を受け止め可能な部分）全体に、ガイド部が設けられていてもよい。この構成によれば、遊技球をスムーズにアウト口１９に案内可能となる。
【手続補正１３】
【補正対象書類名】明細書
【補正対象項目名】００５２
【補正方法】変更
【補正の内容】
【００５２】
（７）上記実施形態では、上側部材５０の上下方向の大きさ（高さ）が、遊技球１個分未満となっていたが、遊技球１個分以上となっていてもよい。
【手続補正１４】
【補正対象書類名】明細書
【補正対象項目名】００５３
【補正方法】変更
【補正の内容】
【００５３】
（８）上記実施形態では、本発明の「可動部」が、前後に直動可能に構成されていたが、例えば、上側部材５０Ｘのように、図６（Ａ）に示す第１位置と図６（Ｂ）に示す第２位置とに、遊技盤１１の前面に沿ってスライド可能に構成されていてもよい。また、可動部が、第２始動入賞部１４の可動翼片１４Ｃのように、遊技盤１１の前面に沿って回動可能に構成されていてもよい。なお、これらの構成においても、上側部材の一部のみが可動部となっていてもよい。
【手続補正１５】
【補正対象書類名】明細書
【補正対象項目名】００５４
【補正方法】変更
【補正の内容】
【００５４】
（９）上記実施形態では、上側部材５０が、側壁４５，４５に上方から重なる位置まで、左右方向に延びていたが、図５（Ｂ）に示すように、上側部材５０が、左右方向で側壁４５，４５の内側に配置されていてもよい。この場合、側壁４５，４５の上面を、上側部材５０の左側傾斜面５１Ｍ及び右側傾斜面５２Ｍより下方に配置し、上側部材５０から離れるにつれて下る傾斜面４５Ｍ，４５Ｍとすることで、アウト口１９，１９にスムーズに遊技球を案内することが可能となる。
【手続補正１６】
【補正対象書類名】明細書
【補正対象項目名】００５５
【補正方法】変更
【補正の内容】
【００５５】
（１０）上記実施形態では、本発明の「堰止部」が、遊技盤の前面から突出した壁状の突部（側壁４５）となっていたが、ガイドレール１２上を転動してきた遊技球を堰き止めるように配置されていればよく、即ち、ガイドレール１２との間隔が遊技球１個分未満であればよく、例えば、図７（Ａ）に示すように、遊技盤１１から前方に延びた棒状の突部４５Ｙであってもよい。
【手続補正１７】
【補正対象書類名】明細書
【補正対象項目名】００５６
【補正方法】変更
【補正の内容】
【００５６】
（１１）上記実施形態では、突壁４２のうち側壁４５が、ガイドレール１２との間に間隔をあけて配置されていたが、図７（Ｂ）に示すように、ガイドレール１２と接するように配置されていてもよい。なお、突壁４２のうち底壁４６も、ガイドレール１２と接するように構成されていてもよい。
【手続補正１８】
【補正対象書類名】明細書
【補正対象項目名】００５７
【補正方法】変更
【補正の内容】
【００５７】
（１２）図８（Ａ）に示すように、突壁４２のうち底壁４６を設けない構成で、大入賞口４０Ａが、ガイドレール１２と隣接していてもよい。同図に示す例では、大入賞口４０Ａの開口縁の下辺部に、ガイドレール１２が配置されていて、流下してきた遊技球は、ガイドレール１２の上面で受け止められて大入賞口４０Ａへと案内される。
【手続補正１９】
【補正対象書類名】明細書
【補正対象項目名】００５８
【補正方法】変更
【補正の内容】
【００５８】
（１３）図７（Ｂ）に示すように、上側部材５０Ｗと大入賞口４０Ａとが隣接して配置されていてもよい。この構成によれば、大入賞部４０を上下方向で一層コンパクトにすることが可能となる。この構成においても、上側部材５０の上下方向の高さを、遊技球１個分より小さくすることで、大入賞部４０をより一層コンパクトにすることができる。
【手続補正２０】
【補正対象書類名】明細書
【補正対象項目名】００５９
【補正方法】変更
【補正の内容】
【００５９】
（１４）上記実施形態では、本発明の「堰止部」が遊技盤１１から前方に突出した側壁４５，４５であったが、図８（Ｂ）に示すように、ガイドレール１２から遊技領域Ｒ１の内側に突出した堰止部４５Ｚ，４５Ｚであってもよい。
【手続補正２１】
【補正対象書類名】明細書
【補正対象項目名】００６０
【補正方法】変更
【補正の内容】
【００６０】
（１５）上記実施形態では、大入賞口４０Ａが、ガイドレール１２上を転動してきた遊技球を堰き止める本発明の「堰止部」（側壁４５，４５）と隣接していたが、隣接していなくてもよい。この構成の例として、例えば、図９（Ｂ）に示すように、大入賞口４０Ａの開口縁から突出した球受突部４１の突壁４２の両側方に、遊技盤１１又はガイドレール１２から突出した堰止部９０，９０が設けられている構成が挙げられる。
【手続補正２２】
【補正対象書類名】明細書
【補正対象項目名】００６１
【補正方法】変更
【補正の内容】
【００６１】
（１６）上記実施形態において、上側部材５０と第２始動入賞部１４の突出部材１４Ｔとの最小の間隔が、遊技球１個分以上となっていてもよい。このように、遊技球が前方を通過困難な突出部（突出部材１４Ｔ、障害釘１７等）を、上側部材５０から上方に遊技球１個分未満の範囲に配置しない構成とすることにより、上側部材５０が退避位置から突出位置へと移動する際に、上側部材５０と上記突出部との間に遊技球が挟まる虞を抑制することが可能となる。
【手続補正２３】
【補正対象書類名】明細書
【補正対象項目名】００６２
【補正方法】変更
【補正の内容】
【００６２】
（１７）上記実施形態では、逆Ｖ字状の上側部材５０の頂部（上端部）が上側部材５０の左右方向の中央に配置されていたが、左側又は右側に寄って配置されていてもよい（図１０（Ａ）参照）。また、上側部材５０の左端と右端との上下方向の位置が同じであってもよいし、異なっていてもよい。また、上側部材５０が、左側傾斜面５１Ｍと右側傾斜面５２Ｍとの勾配が異なるように構成されてもよい。
【手続補正２４】
【補正対象書類名】明細書
【補正対象項目名】００６３
【補正方法】変更
【補正の内容】
【００６３】
（１８）上記実施形態では、大入賞口４０Ａが、遊技領域Ｒ１の左右方向の中央に配置されていたが、左右方向の中央から左側又は右側にずれて配置されていてもよい。この場合、例えば、図１０（Ａ）に示すように、大入賞口４０Ａを、遊技領域Ｒ１の左右方向中央より左側へずらして配置すると共に、前方視逆Ｖ字状の上側部材５０の頂部（上端部）が遊技領域Ｒ１の左右方向中央に配置された第２始動入賞部１４の真下に（即ち、上側部材５０の右寄りに）配置されるように上側部材５０を構成してもよい。なお、同図に示す例では、右側傾斜面５２Ｍが、左側傾斜面５１Ｍより急勾配となっている。
【手続補正２５】
【補正対象書類名】明細書
【補正対象項目名】００６４
【補正方法】変更
【補正の内容】
【００６４】
（１９）上記実施形態において、遊技盤１１のうち表示開口１１Ｈの開口縁付近や表示装飾枠２３に、遊技盤１１の後側を視認可能な視認可能部（例えば、透明又は半透明な部分）を設けてもよい。この場合、例えば、表示画面３０Ｇを、前方から見て表示開口１１Ｈより外側にはみ出す大きさに構成して、上記視認可能部を通して表示画面３０Ｇの外縁部を遊技者に視認させてもよいし、上記視認可能部を通して役物部材１００を遊技者に視認させてもよい。このような構成においても、上記実施形態と同様に大入賞部４０を構成することにより、遊技領域Ｒ１のうち各入賞部１３，１４，４０より上側の部分を広くすることができるので、遊技盤１１の上記視認可能部を広くすることができ、表示画面３０Ｇを大きくしたり、役物部材１００の可動範囲を広くしたりして、遊技に関する演出の趣向性を向上させることが可能となる。
【手続補正２６】
【補正対象書類名】明細書
【補正対象項目名】００６５
【補正方法】変更
【補正の内容】
【００６５】
（２０）上側部材５０と第２始動入賞部１４との最小の間隔を、遊技球１個分未満とするための上側部材５０と第２始動入賞部１４の構成として、例えば、図１０（Ｂ）に示すように、第２始動入賞部１４の突出部材１４Ｔの下端部に下方へ突出する障害突部１４Ｚを備えた構成が挙げられる。具体的には、ポケット構造をなす突出部材１４Ｔは、底部に前方から見て下方に膨出するように形成された膨出底面１４Ｙを有し、この膨出底面１４Ｙの中央部から直線状に障害突部１４Ｚが延びた構成となっている。本構成では、障害突部１４Ｚと上側部材５０との最小の間隔は、遊技球１個分未満となっているが、突出部材１４Ｔの膨出底面１４Ｙと上側部材５０との最小の間隔は、遊技球１個分以上となっている。なお、障害突部１４Ｚは、遊技盤１１と連絡していてもよい。また、このような障害突部を、第２始動入賞部１４の突出部材１４Ｔに設ける代わりに、上側部材５０の上端部から上方に突出させて設けてもよい。